(57)【要約】【課題】電気掃除機において、排気風による塵埃の巻上げを抑制すること。【解決手段】吸引風を発生させる電動送風機１を有する電気掃除機本体８の背面に設けられた排気口１６と、排気口１６に設けられ排気の排出方向を変化させる排気翼９と、この排気翼９を駆動する排気翼駆動手段と、吸込具に設けられ床面より高い位置に浮遊する塵埃を吸引するための浮遊塵埃吸込口３と、浮遊塵埃吸込口３から吸引される含塵空気中の塵埃を検知する塵埃検知手段４と、塵埃検知手段４からの信号を受信し、前記排気翼駆動手段へ動作信号を出力する制御手段とを備え、前記制御手段は、浮遊塵埃吸込口３から吸引される塵埃量に応じて排気翼９からの排気の排出方向を変化させる構成としたので、浮遊塵埃の量が多いときには、排気翼９からの排気の排出方向を上方に変化させることで、自動的に塵埃の巻き上げを抑制できるようになる。【選択図】図２
2009219672.tif 000002
【特許請求の範囲】
【請求項１】
吸引風を発生させる電動送風機を有する電気掃除機本体と、前記電気掃除機本体の背面に設けられた排気口と、前記排気口に設けられ排気の排出方向を変化させる排気翼と、前記排気翼を駆動する排気翼駆動手段と、床面の塵埃を吸引する吸込具に設けられ床面より高い位置に浮遊する塵埃を吸引するための浮遊塵埃吸込口と、前記浮遊塵埃吸込口から吸引される含塵空気中の塵埃を検知する塵埃検知手段と、前記塵埃検知手段からの信号を受信し、前記排気翼駆動手段へ動作信号を出力する制御手段とを備え、前記制御手段は、浮遊塵埃吸込口から吸引される塵埃量に応じて、前記排気翼からの排気の排出方向を変化させることを特徴とする電気掃除機。
【請求項２】
制御手段は、電気掃除機の運転開始から所定時間は、排気翼の制御を行わない構成とした請求項１に記載の電気掃除機。
【請求項３】
電動送風機の入力を検出して制御手段に信号を発信する入力検出手段を設け、前記制御手段は、前記電動送風機の入力情報を加味して排気翼を制御する請求項１または２に記載の電気掃除機。
【請求項４】
電動送風機の風速を検出して制御手段に信号を発信する風速検出手段を設け、前記制御手段は、風速情報を加味して排気翼を制御する請求項１または２に記載の電機掃除機。
【発明の詳細な説明】
【技術分野】
【０００１】
本発明は電気掃除機に関するものであり、特に部屋内等に浮遊する塵埃を検知する機能を有する電気掃除機に関するものである。
【背景技術】
【０００２】
従来、この種の電気掃除機は、塵埃を吸引する吸込具と、集塵室に塵埃を集塵する集塵手段と、含塵空気を吸引するファンモータを有した吸引手段と、含塵空気中の塵埃を検知する塵埃検知装置と、前記塵埃検知装置の出力に応じて塵埃の量や塵埃の大きさを表示する塵埃表示手段と、前記塵埃検知装置の出力に応じて前記ファンモータへの入力を変化させる制御手段と、前記塵埃検知装置より上流の空気通路内に設けられ床面より高い位置に存在する外気と連通する開閉自在な連通孔とを備え、前記制御手段は、前記連通孔を閉じた状態で床面上の含塵空気を吸引中の前記吸込具を床面上に載置したまま、一時的に、床面からの吸引を遮断すると共に前記連通孔を開いて前記連通孔から外気を吸引する構成としたことにより、掃除を行う部屋の空気中に浮遊する花粉などを中心とした塵埃のみを容易、且つ精度よく検知していた（例えば、特許文献１参照）。
【特許文献１】特開２００７−０６８６８４号公報
【発明の開示】
【発明が解決しようとする課題】
【０００３】
しかしながら前記従来の構成では、床面上に滞留している塵埃を吸引したり、検知することは可能であったが、塵埃の巻き上げを抑制することはできなかった。
【０００４】
本発明は前記従来の課題を解決するもので、空気中に滞留している塵埃の量に応じて排気の方向変化させるもので、排気の巻き上げの少なく部屋の空気も綺麗にする電気掃除機を提供することを目的とする。
【課題を解決するための手段】
【０００５】
前記従来の課題を解決するために本発明の電気掃除機は、吸引風を発生させる電動送風機を有する掃除機本体と、前記掃除機本体の背面に設けられた排気口と、前記排気口に設けられ排気の排出方向を変化させる排気翼と、前記排気翼を駆動する排気翼駆動手段と、床面の塵埃を吸引する吸込具に設けられ床面より高い位置に存在する外気と連通する浮遊塵埃吸込口と、前記浮遊塵埃吸込口から吸引される含塵空気中の塵埃を検知する塵埃検知手段と、前記塵埃検知手段からの信号を受信し、前記排気翼駆動手段へ動作信号を出力する制御手段とを備え、前記制御手段は、浮遊塵埃吸込口から吸引される塵埃量に応じて、前記排気翼からの排気の排出方向を変化させることを特徴としたものである。
【０００６】
これによって、自動的に排気による塵埃の巻き上げを抑制し、部屋の空気も綺麗にする電気掃除機を提供することができる。
【発明の効果】
【０００７】
本発明の電気掃除機は自動的に床面からの塵埃の巻き上げを抑制し、部屋の空気を綺麗にすることが可能な電気掃除機を提供することができる。
【発明を実施するための最良の形態】
【０００８】
第１の発明は、吸引風を発生させる電動送風機を有する掃除機本体と、前記掃除機本体の背面に設けられた排気口と、前記排気口に設けられ排気の排出方向を変化させる排気翼と、前記排気翼を駆動する排気翼駆動手段と、床面の塵埃を吸引する吸込具に設けられ床面より高い位置に存在する外気と連通する浮遊塵埃吸込口と、前記浮遊塵埃吸込口から吸引される含塵空気中の塵埃を検知する塵埃検知手段と、前記塵埃検知手段からの信号を受信し、前記排気翼駆動手段へ動作信号を出力する制御手段とを備え、前記制御手段は、浮遊塵埃吸込口から吸引される塵埃量に応じて、前記排気翼からの排気の排出方向を変化させるもので、浮遊塵埃の量が多い時には、排気翼からの排気の排出方向を上方に変化させることで、自動的に塵埃の巻き上げを抑制し、部屋の空気を綺麗にする電気掃除機を提供できるものである。
【０００９】
第２の発明は、第１の発明の制御手段が、電気掃除機の運転開始から所定時間は、排気翼の制御を行わない構成としたもので、運転開始時は床面に多数の塵埃が存在している可能性が高いことから、排気翼の制御は行わず排気翼を上向きにしない吸引力の高い状態（以下、標準状態）で運転開始することで、使用者は強力な吸引力で塵埃を吸引することができ、かつ、自動的に塵埃の巻き上げが多くなりすぎないように制御するため、塵埃の巻上げを気にせずに掃除できる使用性の良い電気掃除機を提供できるものである。
【００１０】
第３の発明は、第１または第２の発明に加えて、電動送風機の入力を検出して制御手段に信号を発信する入力検出手段を設け、制御手段は電動送風機の入力情報を加味して排気翼を制御するものである。電動送風機の入力が高い場合には、吸引力は高いが、発生する排気風速も速く、より多くの塵埃を巻き上げてしまう。逆に電動送風機の入力が低い場合は、吸引力は低いが排気風速は遅く、塵埃の巻き上げは少なくなる。そのため、塵埃検知手段によって検知される塵埃の量が同じであっても、電動送風機の入力が高い場合は排気の方向をより上方に補正し、電動送風機の入力が低い場合には排気の方向を下方に補正することで、塵埃の巻き上げ抑制効果をより強化し、かつ、巻き上げる恐れが少ない場合には吸引力を上昇させる使用性の良い電気掃除機を提供できるものである。
【００１１】
第４の発明は、第１または第２の発明に加えて、制御手段に信号を発信する風速検出手段を設け、制御手段は電動送風機の風速情報を加味して排気翼を制御するもので、排気風速が速い場合はより多くの塵埃を巻き上げてしまうし、逆に排気風速が遅い場合は塵埃の巻き上げは少なくなる。また排気風速が遅い場合は集塵手段への塵埃の滞積量が多く、吸引力が低下している可能性が高いため、より大きな吸引力が必要である。そのため、塵埃検知手段によって検知される塵埃の量が同じであっても、排気風速が速い場合には排気の方向をより上方に補正し、排気風速が遅い場合には排気の方向を下方に補正することで、電気掃除機の吸引力が充分にあるときには排気の巻き上げを抑制し、吸引力が必要なときには吸引力を向上させる使用性のよい電気掃除機を提供できるものである。
【００１２】
以下、本発明の実施の形態について、図面を参照しながら説明する。なお、本実施の形態によって本発明が限定されるものでは無い。
【００１３】
（実施の形態）
図１は、本発明の実施の形態における電気掃除機のブロック図、図２は同実施の形態における電気掃除機の概略図、図３は同実施の形態における排気翼の動作を説明するフローチャート、図４は同実施の形態における計時手段の動作を説明するフローチャートである。
【００１４】
図１、２において、電動送風機１は電気掃除機本体８に塵埃を吸引するための吸込力を発生させるものである。電動送風機駆動手段２０は制御手段２１からの信号に応じて位相制御を行うことで、電動送風機１の入力を可変させる。集塵手段１０は電動送風機１よりも吸気側に備えられており、電動送風機１によって吸引された塵埃と吸気風を、吸気風のみを通過させることで塵埃を集塵する。入力検出手段１４は電気掃除機本体８の入力電力を検出するもので、電流値を測定できる電流検出手段１５で電動送風機１の電流値を検出することで、擬似的に入力電力を検出する。この電流検出手段１５は制御手段２１に接続されている。
【００１５】
排気口１６は電気掃除機本体８後方の背面に備えられており、排気の吹き出し口となっている。風速検出手段１９は、本実施の形態においては排気の風速を検出する排気風速検出手段２２で構成されており、排気口１６と電動送風機１の間に備えられている。また、排気口１６よりも排気側には、排気翼９と、制御手段２１からの信号に応じて排気翼９を可動させ、排気の向きを上下方向に変化させる排気翼駆動手段１７が備えられている。
【００１６】
ホース１１は塵埃を集塵手段１０へ中継するもので、電気掃除機本体８と、手元操作部２とを接続している。手元操作部２には延長管６と、その延長管６には吸込具７が接続されている。吸込具７には開閉蓋５と、制御手段２１からの信号を受け開閉蓋５を開閉させる開閉蓋駆動手段１８が取り付けられており、開閉蓋５を開くことで浮遊塵埃を吸引する空気通路となる浮遊塵埃吸込口３外気と連通する。
【００１７】
浮遊塵埃吸込口３には塵埃検知手段４が取り付けられており、この塵埃検知手段４は発光素子１２と受光素子１３と、受光素子１３から出力される信号を判断する信号変換手段１４から構成されており、発光素子１２と受光素子１３の間を塵埃が通過すると制御手段２１にパルス信号を発信する。
【００１８】
計時手段２３は制御手段２１からの動作信号により所定の時間をカウントするもので、本実施の形態においては３秒経過後、制御手段２１に信号を発信する。
【００１９】
以上のように構成された電気掃除機について、以下、図３を用いてその動作、作用について説明する。
【００２０】
使用者が電気掃除機の運転を開始すると（ステップ１）、制御手段２１は電動送風機駆動手段２１に駆動信号を発信することで、電動送風機１を動作させるとともに、開閉蓋駆動手段１８に駆動信号を発信し開閉蓋５を開口させ、浮遊塵埃吸込口３を外気と連通させる（ステップ２）。電動送風機１によって吸引風が発生し、吸込具７からは床面の塵埃が吸引されていき、浮遊塵埃吸込口３からは空気中の浮遊塵埃が吸引され、延長管６、手元操作部２、ホース１１を通り、電気掃除機本体８に至り集塵手段１０にて塵埃と排気風に分離され、排気風は排気口１６を通って電気掃除機本体８外に放出される（ステップ３）。塵埃検知手段４は、浮遊塵埃吸込口３中の塵埃数をカウントし、制御手段２１に信号を発信する。
【００２１】
ここで、塵埃検知手段４で検出される塵埃のカウント数が、所定の閾値（例えば５カウント）以上の場合（ステップ４）、制御手段２１は排気翼駆動手段１７に駆動信号を発信し、排気翼駆動手段１７は排気翼９を上向きに動作させる（図３ステップ５）。その結果、排気の方向は上方に変化する。
【００２２】
以上のように本実施の形態においては、空気中に滞留している浮遊塵埃の量が所定値よりも多い時には、排気翼９を動作させて排気の方向を上方に変化させることで、自動的に塵埃の巻き上げを抑制し、部屋の空気を綺麗にする電気掃除機を提供できるものである。
【００２３】
また、電気掃除機の運転開始時は一般的に床面に多数の塵埃が存在している可能性が高い。そのため、図４のステップ６に示すとおり、運転開始時に制御手段２１が計時手段２３に動作信号を発信し、３秒後、計時手段２３から制御手段２１に信号が発信されるまでは、排気翼９を標準状態である下向きにすることで、圧力損失を減らし吸引力が強くなる状態で運転する。３秒後、塵埃のカウント数が多い場合は、排気翼９は巻き上げを抑制するように上向きに動作し、塵埃のカウント数が少ない場合は、排気翼９は吸引力が高い下向きに動作する。
【００２４】
これにより、電気掃除機が掃除を開始しようとする部屋の浮遊塵埃の量に応じて自動的に排気方向を変化させるので、使用者は強力な吸引力で塵埃を吸引することができ、かつ、自動的に塵埃の巻き上げが多くなりすぎないように制御するため、塵埃の巻上げを気にせずに掃除できる使用性の良い電気掃除機を提供できるものである。
【００２５】
また、一般的な電気掃除機は異なる入力の複数の動作モードを備えており、使用者が任意に動作モードを切替えることが可能となっているものが多い。従って、電動送風機１の入力が高い場合には、発生する排気風速も速いため、より多くの塵埃を巻き上げてしまう。逆に電動送風機の入力が低い場合は、排気風速が遅いため、塵埃の巻き上げは少なくなる。
【００２６】
よって、塵埃検知手段４によって検知される塵埃の量が同じであっても、入力検出手段１４によって検出される電動送風機１の入力が高い場合は排気の方向をより上方に補正し、電動送風機の入力が低い場合には排気の方向を下方に補正することで、塵埃の巻き上げ抑制効果をより強化し、かつ、巻き上げる恐れが少ない場合には吸引力を上昇させる使用性の良い電気掃除機を提供できるものである。
【００２７】
また、一般的に電気掃除機は集塵手段塵埃１０内の捕集塵埃の量が増加すると、集塵手段１０の圧力損失が増大し、風速が低下するものが多い。そのため、排気風速が遅い場合は集塵手段１０内の捕集塵埃の量が多く、吸引力が低下している可能性が高いため、電気掃除機として、より大きな吸引力が必要となる。
【００２８】
よって、塵埃検知手段４によって検知される塵埃の量が同じであっても、風速検出手段１９によって検出される排気風速が速い場合には排気の方向をより上方に補正することで、塵埃の巻上げを抑制し、排気風速が遅い場合には排気の方向を下方に補正することで、吸引力を向上させる。
【００２９】
これにより集塵手段１０への捕集塵埃の量が少なく、電気掃除機の吸引力が充分にある時には排気の巻き上げを抑制し、捕集塵埃の量が多く吸引力が必要な時には吸引力を向上させる使用性のよい電気掃除機を提供できるものである。
【産業上の利用可能性】
【００３０】
以上のように、本発明にかかる電気掃除機は、空気中に滞留している塵埃の量に応じて排気の排出方向を変化させるもので、浮遊塵埃の吸引と共に、排気による塵埃の巻き上げも抑制できる掃除機として有効である。
【図面の簡単な説明】
【００３１】
【図１】本発明の実施の形態における電気掃除機の制御ブロック図
【図２】同、電気掃除機の概略図
【図３】同、電気掃除機の排気翼の動作を説明するフローチャート
【図４】同、電気掃除機の計時手段の動作を説明するフローチャート
【符号の説明】
【００３２】
１    電動送風機
３    浮遊塵埃吸込口
４    塵埃検知手段
８    電気掃除機本体
９    排気翼
１４  入力検出手段
１６  排気口
１７  排気翼駆動手段
１９  風速検出手段
【図１】
2009219672.tif 000003
【図２】
2009219672.tif 000004
【図３】
2009219672.tif 000005
【図４】
2009219672.tif 000006